(57)【要約】【課題】簡便に予熱回路へのストレスを最少眼に抑えるとともに、放電灯の始動を確実なものとする。【解決手段】始動タイマー回路４３によりスイッチ素子６３を切り替える構成としている。スイッチ素子６３を切り替えるタイミングを放電灯の寿命末期判定と同時とすることにより、放電灯５３が正常に放電したことを判定するまで、放電灯５３を放電させ易くする、フィラメントの予熱を行うことが出来、またその時間を必要最少限とすることができる。【選択図】　　　図１
2004146322.tif 000002
【特許請求の範囲】
【請求項１】
直流電源（１０）を備え、順直列一対のスイッチング素子（２１・２２）を含むスイッチング回路を備え、前記直流電源（１０）・スイッチング回路を並列に接続し、前記各スイッチング素予（２１・２２）と逆並列に接続するフライホイールダイオード（３１・３２）を備え、前記各スイッチング素子（２１・２２）を交互にオンオフするように制御する駆動回路（４１）を備え、駆動回路（４１）の発振周波数切り替えのタイミングを計る、予熱タイマー回路（４２）と始動タイマー回路（４３）を備え、前記始動タイマー回路（４１）により制御されるランプ寿命末期検出回路（４４）を備え、バラスト用インダクタ（５１）、補助コンデンサ（５２）、放電灯（５３）からなる点灯回路（５０）を備え、これと並列に予熱トランス（６１）、共振コンデンサ（６２）、前記始動タイマー回路（４３）により制御されるスイッチ素子（６３）を備えることを特徴とする放電灯点灯装置。
【発明の詳細な説明】
【０００１】
【発明の属する技術分野】
本発明は放電灯点灯装置における、放電灯のフィラメント予熱回路の制御に関する。
【０００２】
【従来の技術】
従来装置の回路図を図２に示す。図２は一般的に知られるハーフブリッジ回路の例である。このインパータ装置は、直流電源１０の両端に直列接続された、スイッチング素予２１・２２を駆動回路４１にて交互にオンオフしてスイッチング素子２２の両端に接続された放電灯５３を含む点灯回路５０に高周波電力を供給するものである。放電灯５３のフィラメントは予熱トランス６１の二次巻線が接続されており、予熱トランス６１と共振コンデンサ６２の共振により得られたエネルギにより放電灯５３のフィラメントは予熱される。電源が投入されるとまず、物熱タイマー回路４２の働きにより、駆動回路４１は予熱周波数でスイッチング素子２１・２２を駆動する。同時に、フィラメント予熱切林タイマー回路４５の働きによりスイッチ素子６３はオンとなり、放電灯５３のフィラメントは予熱される。なお、フィラメント予熱切替タイマー回路４５の設定タイマー時間は、放電灯５３の始動を確実なものとするため、予熱タイマー回路４２の設定タイマー時間に比べ十分長い設定となっている。予熱タイマー回路４２により設定される一定時間が経過すると、これの働きもこより駆動回路４１はスイッチング素字２１・２２を駆動する発振周波数を始動周波数へと切り替える。また同時に始動タイマー回路４３が時間カウントを開始する。このためバラスト用インダクタ５１、補助コンデンサ５２の共振が強まり、放電灯５３へ高電圧が印可され、放電灯５３が点灯する。一方始動タイマー回路４３により設定される一定時間が経過するとランプ寿命末期検出回路４４を有効とし、放電灯５３が寿命末期でなければ、駆動回路４１は発振周波数を点灯周波数へと切り替え、放電灯５３は所定の明るさで点灯する。一方ランプ寿命末期検出回路４４により、放電灯５３が寿命末期と判定されれば醐動回路４１は発振停止する。また、放電灯５３のフィラメント予熱は、フィラメント予熱切替タイマー回路４５そこより設定される一定時間が経過し、これによりスイッチ素子６　３がオフした時点で停止する。
【０００３】
【発明が解決しようとする課題】
上記従来技術は、放電しづらいランプが装着された場合であっても、ランプの始動を確実なものとするため、フィラメント予熱切替のためのスイッチ素子をオンしている時間を、本来必要最低限の時間である予熱周波数でインバータ動作している時間に比べ、十分長い時間としている。このため、放電灯のフィラメント予熱を行う予熱トランス、スイッチ素子へのストレスが大きく、定格の大きな素子を使わなければならないという問題があつた。
本発明の目的は簡便に予熱回路へのストレスを最少眼に抑えるとともに、放電灯の始動を確実なものとすることにある。
【０００４】
【課題を解決するための手段】
上記目的を達成するために、本発明は始動タイマー回路４３によりスイッチ素子６３を切り替える構成としている。
スイッチ素子６３を切り替えるタイミングを放電灯の寿命末期判定と同時とすることにより、放電灯５３が正常に放電したことを判定するまで、放電灯５３を放電させ易くする、フィラメントの予熱を行うことが出来、またその時間を必要最少限とすることができる。
【０００５】
【発明の実施の形態】
以下本発明の一実施例を図１により説明する。図１に示すよう直流電源１０に順直列一対のスイッチング素子２１、２２が接続され、前記スイッチング素子２１、２２には逆並列にフライホイールダイオード３１、３２が接続されている。前記スイッチング素子２１、２２は駆動回路４１にて交互にオンオフしてスイッチング素子２２の両端に接続された放電灯５３を含む点灯回路５０へ高周波電力を供給するものである。放縦灯５３のフィラメントは予熱トランス６１の二次巻線が接続されており、予熱トランス６１と共振コンデンサ６２の共振により得られたエネルギにより放電灯５３のフィラメントは予熱される。電源が投入されるとまず、予熱タイマー回路４２の働きにより、駆動回路４１は予熱周波数でスイッチング素子２１・２２を駆動する。この時、始動タイマー回路４３によりスイッチ素子６３はオンとなっており、放電灯５３のフィラメントは予熱される。予熱タイマー回路４２により設定される一定時間が経過すると、これの働きにより駆動回路４１はスイッチング素子２１・２２を駆動する発振周波数を始動周波数へと切り替えると同時に始動タイマー回路４３が時間カウントを開始する。このためバラスト用インダクタ５１、補助コンデンサ５２の共振が強まり、放電灯５３へ高電圧が印可され、放電灯５３が点灯する。始動タイマー回路４３により設定される一定時間が経過すると、スイッチ素子６３はオフし放電灯５３のフィラメントの予熱は停止する。これと同時にランプ寿命末期検出回路４４を有効とし、放電灯５３が寿命末期でなければ、駆動回路４１は発掘司波数を点灯周波数へと切り替え、放電灯５３は所定の明るさで点灯する。一方、ランプ寿命末期検出回路４４により、放電灯５３が寿命末期と判定されれば駆動回路４１は発振停とする。
【０００６】
【発明の効果】
本発明によれば、放電灯フィラメント予熱−＝路の停止タイミングを、ランプ寿命末期検出回路を有効とするタイマー回路と共用することで、予熱回路へのストレス印加時間を最少眼とし，かつ確実な放電灯の始動を確保することができる。
【図面の簡単な説明】
【図１】本発明装置の回路図である。
【図２】従来装置の回路図である。
【符号の説明】
１０：直流電源
２１，２２：スイッチング素子
３１，３２：フライホイールダイオード
４１：制御回路
４２：予熱タイマー回路
４３：始動タイマー回路
４４：ランプ寿命来期検出回路
４５：フィラメント手熱りリ替タイマー回路
５０：点灯回路
５１：バラスト用インダクタ
５２：補助コンデンサ５　２
５３：放電灯
６０：予熱回路
６１：予熱トランス
６２：共振コンデンサ
６３：スイッチ素子
７０：コンデンサ
【図１】
2004146322.tif 000003
【図２】
2004146322.tif 000004